(57)【要約】【課題】ウインドガラスに対するワイパーの不使用時、ワイパーの先端部分のゴムがウインドガラスに密着し先端部分のゴムの劣化が生じることの防止を目的とした治具で、構造がシンプルで使い勝手や作業性もよく耐久性にも優れ安価な治具を提供することを課題とする。【解決手段】ウインドワイパーゴム劣化防止装置７は支柱浮遊具７ａと該支柱浮遊具７ａの一端でワイパー支柱２と回転可能に連結する係止部Ｅと固定手段Ｋと支柱浮遊具７ａの他端に設けられる固定手段Ｋとからなり、支柱浮遊具７ａの閉時において、該支柱浮遊具7ａがワイパー支柱２から非突設状態で、ワイパー支柱２に固定され、支柱浮遊具７ａの開時において、支柱浮遊具７ａがワイパー支柱２から突設し、立脚状態で固定手段Ｋにより固定されるようにし、ワイパーゴム４とウインドガラス６の間に適宜寸法のスペースＳを設けるようにすることで解決した。【選択図】  図２
2013123923.tif 000002
【特許請求の範囲】
【請求項１】
ウインドワイパーゴムとウインドガラスとの間に適宜寸法のスペースを設けるためのウインドワイパーゴム劣化防止装置であって、該ウインドワイパーゴム劣化防止装置は支柱浮遊具と該支柱浮遊具の一端で前記ワイパー支柱と回転可能に連結する係止部と、該係止部に設けられている固定手段と、支柱浮遊具の他端に設けられている固定手段とからなり、前記支柱浮遊具の閉時に支柱浮遊具がワイパー支柱から非突設状態で前記固定手段によってワイパー支柱に固定され、前記支柱浮遊具の開時に支柱浮遊具がワイパー支柱から突設し立脚状態で前記固定手段によって固定されることを特徴とするウインドワイパーゴム劣化防止装置。
【請求項２】
前記支柱浮遊具の先端部にウインドガラス損傷保護材が設けられており、前記係止部が支柱浮遊具及びワイパー支柱を貫通して設けられている開閉軸であることを特徴とする請求項１に記載のウインドワイパーゴム劣化防止装置。
【請求項３】
前記固定手段が、前記支柱浮遊具７ａの一方の端部にある係止部近傍に設けられている開時固定手段、及び、支柱浮遊具の他端に設けられている閉時固定手段とからなり、前記開時固定手段および閉時固定手段は、ワイパー支柱の左右側面の少なくとも一方に設けられている凹部又は突起部と、該凹部又は突起部と嵌合係止する前記支柱浮遊具の左右側面の少なくとも一方に設けられている突起部又は凹部であり、前記ワイパー支柱及び前記支柱浮遊具は、一方の面が開口した断面視略コの字型形状を有し、前記支柱浮遊具の閉時に、ワイパー支柱の下面開口部と前記支柱浮遊具の上面開口部とが合わさる状態で、前記凹部と突起部が嵌合係止することで前記支柱浮遊具がワイパー支柱から非突設状態で前記閉時固定手段によってワイパー支柱に固定され、前記支柱浮遊具の開時に、支柱浮遊具がワイパー支柱から突設し立脚状態で前記開時固定手段の凹部と突起部が嵌合係止することで支柱浮遊具がワイパー支柱から立脚状態で固定されることを特徴とする請求項１又は請求項２に記載のウインドワイパーゴム劣化防止装置。
【請求項４】
前記支柱浮遊具の先端部に設けられているウインドガラス損傷保護材が弾性体からなり、ワイパー支柱先端部に脱着可能とされていることを特徴とする請求項１〜請求項３のいずれかに記載のウインドワイパーゴム劣化防止装置。
【請求項５】
前記ウインドガラス損傷保護材の支注浮遊具側の端部に、支柱浮遊具の端部が嵌合する嵌合孔が設けられていることを特徴とする請求項１〜請求項４のいずれかに記載のウインドワイパーゴム劣化防止装置。
【発明の詳細な説明】
【技術分野】
【０００１】
本発明は乗物等のウインドワイパーゴム劣化防止装置に関する。
【背景技術】
【０００２】
従来から自動車、電車等の乗り物などの窓ガラスに付着する異物（ゴミ、雨、雪、その他）はウインドワイパーを用いて清掃除去していた。現状のワイパーはウインドガラスに付着する異物（ゴミ、雨、雪、その他）を取り除くのには十分な装置である。しかしながら、この装置の最も重要な部分であるウインドガラス清掃部分のワイパーゴムは常時圧着されており、冬季における寒冷地や夏季における高温地においては過酷な状態にさらされる。この為、ワイパー先端部分のゴムが劣化し耐久性に支障をきたすことが多々あった。このことを自動車点検時に指摘された。この劣化を防止するにはワイパー不使用の時には、ウインドガラスから離した状態にする必要がある。そのことによってウインドワイパーゴムの劣化防止及びウインドワイパー自体の寿命を延長することができる。そのための装置として、例えば、ＥＰ−Ａ１−０００９３０２０４号公報に、ワイパーのブラシを保護する装置に関する記載がある。
【先行技術文献】
【特許文献】
【０００３】
【特許文献１】ＥＰ−Ａ１−０００９３０２０４号公報
【発明の概要】
【発明が解決しようとする課題】
【０００４】
しかしながら、前記記載のワイパーのブラシを保護する装置（ＥＰ−Ａ１−０００９３０２０４号公報）は、その構造が複雑で価格的にも高価なものとなる。しかも、フロントガラスに対するワイパーブラシの間隔調整のために、スライドするプラスチックの円筒位置を調整する必要があり手間がかかることで作業性に劣るといった問題点もあった。
【０００５】
本願発明は前記問題点を解決するためになされたものであり、ウインドガラスに対するワイパーの不使用時、ワイパーの先端部分のゴムがウインドガラスに密着し、先端部分のゴムの劣化が生じることを防止することを目的とし、しかも、そのことのみならず、ワイパーの先端部分のゴムの劣化を防止するための治具として、極めて構造がシンプルで使い勝手や作業性もよく、耐久性にも優れ安価な治具を提供することを課題とする。
【課題を解決するための手段】
【０００６】
上記課題を解決するためになされた本発明の請求項１は、ウインドワイパーゴムとウインドガラスとの間に適宜寸法のスペースを設けるためのウインドワイパーゴム劣化防止装置であって、該ウインドワイパーゴム劣化防止装置は支柱浮遊具と該支柱浮遊具の一端で前記ワイパー支柱と回転可能に連結する係止部と、該係止部に設けられている固定手段と、支柱浮遊具の他端に設けられている固定手段とからなり、前記支柱浮遊具の閉時に支柱浮遊具がワイパー支柱から非突設状態で前記固定手段によってワイパー支柱に固定され、前記支柱浮遊具の開時に支柱浮遊具がワイパー支柱から突設し立脚状態で前記固定手段によって固定されることを特徴とする。
【０００７】
係る構成によれば、ウインドガラスに対するワイパーの不使用時、ワイパーの先端部分のゴムがウインドガラスに密着し、先端部分のゴムの劣化が生じることを防止可能となり、しかも極めて構造がシンプルで使い勝手や作業性もよく、耐久性にも優れたウインドワイパーゴム劣化防止装置を安価に提供可能となる。
【０００８】
本願発明の請求項２は、請求項１に記載のウインドワイパーゴム劣化防止装置において、前記支柱浮遊具の先端部にウインドガラス損傷保護材が設けられており、前記係止部が支柱浮遊具及びワイパー支柱を貫通して設けられている開閉軸であることを特徴とする。
【０００９】
係る構成によれば、本願発明の支柱浮遊具をウインドガラスに対して立脚させた際、支柱浮遊具の先端部にウインドガラス損傷保護材が設けられているので、ウインドガラスを傷つける恐れがなく安心して使用できる。また、前記係止部が支柱浮遊具及びワイパー支柱を貫通して設けられている開閉軸であるゆえ、長期耐久性に優れたものとなる。
【００１０】
本願発明の請求項３は、請求項１又は請求項２に記載のウインドワイパーゴム劣化防止装置において、前記固定手段が、前記支柱浮遊具７ａの一方の端部にある係止部近傍に設けられている開時固定手段、及び、支柱浮遊具の他端に設けられている閉時固定手段とからなり、前記開時固定手段および閉時固定手段は、ワイパー支柱の左右側面の少なくとも一方に設けられている凹部又は突起部と、該凹部又は突起部と嵌合係止する前記支柱浮遊具の左右側面の少なくとも一方に設けられている突起部又は凹部であり、前記ワイパー支柱及び前記支柱浮遊具は、一方の面が開口した断面視略コの字型形状を有し、前記支柱浮遊具の閉時に、ワイパー支柱の下面開口部と前記支柱浮遊具の上面開口部とが合わさる状態で、前記凹部と突起部が嵌合係止することで前記支柱浮遊具がワイパー支柱から非突設状態で前記閉時固定手段によってワイパー支柱に固定され、前記支柱浮遊具の開時に、支柱浮遊具がワイパー支柱から突設し立脚状態で前記開時固定手段の凹部と突起部が嵌合係止することで支柱浮遊具がワイパー支柱から立脚状態で固定されることを特徴とする。
【００１１】
係る構成によれば、前記固定部が、ワイパー支柱の左右側面の少なくとも一方に設けられている凹部又は突起部と、該凹部又は突起部と嵌合係止する前記支柱浮遊具の左右側面の少なくとも一方に設けられている突起部又は凹部であるので、ワイパー支柱浮遊具の閉時に、ワイパー支柱の下面開口部と支柱浮遊具の上面開口部とが合わさる状態で、前記凹部と突起部が嵌合係止することで支柱浮遊具がワイパー支柱から非突設状態でワイパー支柱に固定できる。
【００１２】
本願発明の請求項４は、請求項１〜請求項３のいずれかに記載のウインドワイパーゴム劣化防止装置において、前記支柱浮遊具の先端部に設けられているウインドガラス損傷保護材が弾性体からなり、ワイパー支柱先端部に脱着可能とされていることを特徴とする。
【００１３】
係る構成によれば、支柱浮遊具の先端部に設けられているウインドガラス損傷保護材が弾性体からなり、ワイパー支柱先端部に脱着可能とされているので、前記ウインドガラス損傷保護材に摩耗、劣化、破損等が生じても極めて簡単に新しいものに交換取り換えができる。
【００１４】
本願発明の請求項５は、請求項１〜請求項４のいずれかに記載のウインドワイパーゴム劣化防止装置において、前記ウインドガラス損傷保護材の支注浮遊具側の端部に、支柱浮遊具の端部が嵌合する嵌合孔が設けられていることを特徴とする。
【００１５】
係る構成によれば、支柱浮遊具の嵌合孔に対する支柱浮遊具先端部のはめ込み深さを適宜調整することで支柱浮遊具の長さが調整可能となり、ウィンドガラスに対する損傷保護材先端部の圧接状態が適度に設定可能となる。
【発明の効果】
【００１６】
本発明の請求項１によれば、ウインドガラスに対するワイパーの不使用時、ワイパーの先端部分のゴムがウインドガラスに密着し、先端部分のゴムの劣化が生じることを防止可能となり、しかも極めて構造がシンプルで使い勝手や作業性もよく、耐久性にも優れたウインドワイパーゴムの劣化防止のための装置を安価に提供可能となる。
【００１７】
本発明の請求項２によれば、本願発明の支柱浮遊具をウインドガラスに対して立脚させた際、支柱浮遊具の先端部にウインドガラス損傷保護材が設けられているので、ウインドガラスを傷つける恐れがなく安心して使用できる。また、前記係止部が支柱浮遊具及びワイパー支柱を貫通して設けられている開閉軸であるゆえ、長期耐久性に優れたものとなる。
【００１８】
本発明の請求項３によれば、前記固定部が、ワイパー支柱の左右側面の少なくとも一方に設けられた凹部又は突起部と、該凹部又は突起部と嵌合係止する前記支柱浮遊具の左右側面の少なくとも一方に設けられている突起部又は凹部であるので、支柱浮遊具の閉時に、ワイパー支柱の下面開口部と支柱浮遊具の上面開口部とが合わさる状態で、前記凹部と突起部が嵌合係止することで支柱浮遊具がワイパー支柱から非突設状態でワイパー支柱に固定できる。
【００１９】
本発明の請求項４によれば、支柱浮遊具の先端部に設けられているウインドガラス損傷保護材が弾性体からなり、ワイパー支柱先端部に脱着可能とされているので、前記ウインドガラス損傷保護材に摩耗、劣化、破損等が生じても極めて簡単に新しいものに交換取り換えができる。
【００２０】
本発明の請求項５によれば、支柱浮遊具の嵌合孔に対する支柱浮遊具先端部のはめ込み深さを適宜調整することで支柱浮遊具の長さが調整可能となり、ウィンドガラスに対する損傷保護材先端部の圧接状態が適度に設定可能となる。
【図面の簡単な説明】
【００２１】
【図１】図１は本発明のウインドワイパーゴム劣化防止装置の使用時（開時）と不使用時（閉時）の状態を示す説明図である。
【図２】図２の（ａ）は本発明のウインドワイパーゴム劣化防止装置の不使用時（閉時）を示す拡大図であり、（ｂ）はその使用時（開時）を示す拡大図である。
【図３】図３は本発明の支柱浮遊具の斜視図である。
【図４】図４の（ａ）は本発明の第一実施形態における支柱浮遊具の閉時を示す正面図である。図４の（ｂ）はその側面図である。図４の（ｃ）はそのＡ−Ａ線断面図である。
【図５】図５は本発明の第一実施形態における、支柱浮遊具の開閉操作状態を示す斜視図である。
【図６】図６の（ａ）は支柱浮遊具先端の損傷保護材の脱着状態を示す斜視図である。図６の（ｂ）は損傷保護材のＢ−Ｂ線断面を示す斜視図である。
【発明を実施するための形態】
【００２２】
本発明のウインドワイパーゴム劣化防止装置の第一実施形態の詳細を図１〜図６の図面に従って述べる。図中の１はウインドワイパー、２はワイパー支柱、２ａは支柱側面、３はワイパーゴム取り付け具、４はワイパーゴム、５はワイパー支持部、６はウインドガラスを示す。また、７はウインドワイパーゴム劣化防止装置、７ａは支柱浮遊具、７ｂは支柱浮遊具側面、８はウインドガラス損傷保護材、８ａは損傷保護材の支柱浮遊具側の端部、８ｂは嵌合孔、Ｅは係止部、Ｋは固定手段、Ｋ１は閉時固定手段、Ｋ２は開時固定手段、Ｕは凹部、Ｔは突起部、Ｊは開閉軸、Ｓはスペースを示す。
【００２３】
本発明のウインドワイパー１のウインドワイパーゴム劣化防止装置７は、ワイパーゴム４の不使用時に、ウインドガラス６とワイパー支柱２との間に本発明の支柱浮遊具７ａを介在させ、ウインドガラス６からワイパーゴム４を離脱させ、該ワイパーゴム４とウインドガラス６との間にスペースＳを設けることにより、ワイパーゴム４の劣化を防止し、そのため、ワイパーゴム４の寿命を引き延ばすことを目的とするものである。
【００２４】
本発明のウインドワイパーゴム劣化防止装置７は、ワイパー支柱２に、はじめから組み込み済みとして利用することが可能であり、また、使用途中から、ワイパーに、後付けも可能である。すなわち、ウインドワイパー１の支柱側面２ａに、支柱浮遊具側面７ａに設けられている凹部または突起部と嵌合する突起部または凹部を設けるように加工するとよい。また、新車販売時のグッズとしてもユーザーから喜ばれると確信する。
【００２５】
図１、図２に従って詳細に説明する。図１は本発明のウインドワイパーゴム劣化防止装置７の使用時（開時）と不使用時（閉時）の状態を示す説明図である。また、図２の（ａ）は本発明のウインドワイパーゴム劣化防止装置７の不使用時（閉時）を示す拡大図であり、（ｂ）はその使用時（開時）を示す拡大図である。
【００２６】
本発明のウインドワイパーゴム劣化防止装置７は、乗物等のウインドのワイパーゴム４の劣化防止のための装置である。乗物等のウインドガラス６のワイパー支持部５にウインドワイパー１が取り付け支持されている。ワイパー支柱２の先端部にワイパーゴム取り付け具３によってワイパーゴム４が取り付けられている。
【００２７】
前記ワイパー支柱２の所定の位置に本発明のウインドワイパーゴム劣化防止装置７の支柱浮遊具７ａが、開閉軸Ｊと固定手段Ｋによって取り付けられている。本例ではワイパー支柱２のワイパー支持部５の近傍に設けられているが、この位置に限られるものではない。
【００２８】
前記支柱浮遊具７ａはその一端において係止部Ｅによってワイパー支柱２と回転可能に連結されている。前記係止部Ｅは、本例では開閉軸Ｊを例示するが、これ以外の係止部Ｅであっても勿論よいものとする。開閉軸Ｊの開閉によって支柱浮遊具７ａは回転軸Ｊを回転の中心として回転可能な構造とされている。また、支柱浮遊具７ａは不使用時（閉時）においては、ワイパー支柱２から非突設状態（閉時）となり、前記固定手段Ｋによってワイパー支柱２に非突設状態で固定されている。
【００２９】
第一実施形態においては、不使用時（閉時）に、ワイパー支柱２が、この支柱浮遊具７ａの対向する左右にある支柱浮遊具側面７ｂ間の内側に内蔵状態として設けられている構造である。また、図示しないが、この逆が第二実施形態である。すなわち、不使用時（閉時）に、この支柱浮遊具７ａが、ワイパー支柱２の対向する左右にある支柱側面２ａ間の内側に内蔵状態として設けられている構造である。
【００３０】
また、支柱浮遊具７ａの突設状態（開時）においては、前記固定手段Ｋによってワイパー支柱２から支柱浮遊具７ａが突設状態で固定される構造とされている。
【００３１】
支柱浮遊具７ａの突設状態（開時）において、ワイパー支柱２から支柱浮遊具７ａが突設状態となり、支柱浮遊具７ａの先端部がウインドガラス６に圧接され、ワイパー支柱２の先端に取り付けられているワイパーゴム４とウインドガラス６との間にスペースＳが形成されることとなる。このスペースＳによってワイパーゴム４がウインドガラス６への圧接から解放され、長年の経時変化によるワイパーゴムの劣化防止が可能となる。
【００３２】
図３〜図５に従って、本発明のウインドワイパーゴム劣化防止装置７の第一実施形態の詳細を説明する。前記支柱浮遊具７ａの先端部にウインドガラス損傷保護材８が設けられている。また、本例では、前記支柱浮遊具７ａの先端部にウインドガラス損傷保護材８が設けられており、前記係止部Ｅが、支柱浮遊具７ａ及び、ワイパー支柱２を貫通して設けられている開閉軸Ｊである。前記係止部Ｅは、本例においては支柱浮遊具７ａを回転可能に連結する開閉軸Ｊを例示するが、この開閉軸Ｊに限定されるものではない。例えば、ネジとナット、イーリング、菊座、リベット、回転ピン、回転ロール、回転ネジ等が好適なものとして例示できる。
【００３３】
前記固定手段Ｋは二種類あり、前記支柱浮遊具７ａの一方の端部にある係止部Ｅの近傍に設けられている開時固定手段Ｋ２、及び、支柱浮遊具７ａの他端に設けられている閉時固定手段Ｋ１との２種類である。開時固定手段Ｋ２、閉時固定手段Ｋ１は、ワイパー支柱２の左右側面２ａの少なくともいずれか一方に設けられた凹部Ｕ又は突起部Ｔと、該凹部Ｕ又は突起部Ｔと嵌合係止する前記支柱浮遊具７ａの左右側面７ｂの少なくともいずれか一方に設けられている突起部Ｔ又は凹部Ｕである。
【００３４】
支柱浮遊具７ａの閉時において、閉時固定手段Ｋ１が用いられる。該閉時固定手段Ｋ１は支柱浮遊具７ａの先端部（損傷保護材８が設けられている方）の近傍に設けられている。また、支柱浮遊具７ａの開時において、開時固定手段Ｋ２が用いられる。該開時固定手段Ｋ２は支柱浮遊具７ａの後端部（係止部Ｅに近い方）の近傍に設けられている。
【００３５】
前記ワイパー支柱２の左右側面２ａの少なくとも一方に設けられた凹部Ｕ又は突起部Ｔと、該凹部Ｕ又は突起部Ｔと嵌合係止する前記支柱浮遊具７ａの左右側面７ｂの少なくとも一方に設けられている突起部Ｔ又は凹部Ｕとが嵌合し合って、支柱浮遊具７ａにワイパー支柱２が収まった状態（閉時）、又は、支柱浮遊具７ａがワイパー支柱２から突設立脚状態（開時）で固定される構造である。
【００３６】
本発明の支柱浮遊具７ａの材質は耐久性があり、しかも、ある適度の撓み性を有するものが好適である。例えば、ステンレス、アルミなどの金属製、または、ウレタン樹脂、塩ビ樹脂、ポリエステル樹脂、ＡＢＳ樹脂等の半硬質の合成樹脂成形体などが好適であるがこれらに限定されるものではない。
【００３７】
次に本発明の支柱浮遊具７ａの使用手順について簡単に述べる。先ず、使用時（開時）においては、次の手順である。
【００３８】
（１）支柱浮遊具７ａの先端にある損傷保護材８を指等でつまみ軽く下方に引っ張る。
（２）この時、閉時固定手段Ｋ１の固定を外す。すなわち、凹部Ｕと突起部Ｔとの嵌合を外す。
（３）係止部Ｅを回転の中心として支柱浮遊具７ａを回転させ、開時固定手段Ｋ２を働かせて、凹部Ｕに突起部Ｔを嵌合させる。
（４）支柱浮遊具７ａが突設し立脚状態で固定されていることを確認する。支柱
浮遊具７ａの先端部分にある損傷保護材８を適度に前後にスライドさせる。
（５）ウインドガラス６と損傷保護材８の接触状態が適度であることを確認する。
以上で、本発明の支柱浮遊具７ａの立脚使用状態が設置完了となる。また、支柱浮遊具７ａをしまいこむ時は上記手順の逆を行う。
【００３９】
また、前記ワイパー支柱２及び支柱浮遊具７ａは、一方の面が開口した断面視略コの字型形状を有している。支柱浮遊具７ａの閉時に、ワイパー支柱２の下面開口部と支柱浮遊具７ａの上面開口部とが合わさる状態で、前記凹部Ｕと突起部Ｔとが嵌合係止する構造であり、このことによって、支柱浮遊具７ａがワイパー支柱２から非突設状態で前記閉時固定手段Ｋ１によってワイパー支柱２に固定される。
【００４０】
本発明の支柱浮遊具７ａを使用するに際して以下の点に注意すると、より効果的に、且つ、安全に使用できる。先ず、本発明の支柱浮遊具７ａをワイパー支柱２から突設状態（開時）でウインドワイパー１を作動させることがないように注意することが必要である。支柱浮遊具７ａを突設させた状態（開時）でウインドワイパー１を作動させると支柱浮遊具７ａの破損が生じたり、また、ウインドガラス６が破損するといったおそれが生じる。そのため、支柱浮遊具７ａの突設状態で自動車等の乗り物を発進させたり、ウインドワイパー１を作動させたりしないでくださいという主旨の注意書きを取り付けると安全面にとって好適である。
【００４１】
図示しないが、支柱浮遊具７ａに、たとえば、注意書きのタグを取り付けると安全面にとって好適である。すなわち、支柱浮遊具7 aをロックしないままで走行することがないようにするための予防処置として下記のような注意書きタグの取り付けが好適である。そのことを詳述すると、たとえば、支柱浮遊具７ａの閉時（ワイパー支柱２に支柱浮遊具７ａがしまいこまれた状態で支柱浮遊具７ａを閉時固定手段Ｋ１でロックし固定する状態）において、前記のような注意書きが書かれたタグを取り付けておくと良い。このようにして支柱浮遊具７ａの閉時（ワイパー支柱２に支柱浮遊具７ａがしまいこまれた状態で支柱浮遊具７ａを閉時固定手段Ｋ１でロックし固定する状態）の状態で、ウインドワイパー１を作動させると、上記のような問題点が生じることがなく安全である。また、ウインドワイパー１を長期間使用しない時は、前記閉時固定手段Ｋ１を解除しロックを外し、支柱浮遊具７ａを突設立脚状態（開時）とし、ワイパーゴム４とウインドガラス６との間にスペースＳを確保しておくことがワイパーゴム４の劣化防止にとって極めて好適である。
【００４２】
また、ウインドワイパー１の新品使用時には、ワイパー支柱２と支柱浮遊具７ａをインシュロックやビニ帯で縛り付けてロックし、このロックを解除する時は、大きな注意書きタグを取り外すような仕組みとしておいて、乗り物等の販売者がユーザーに安全上の説明を十分に行うことが重要である。
【００４３】
また、ワイパー支柱浮遊具７ａの開時に、支柱浮遊具７ａが、ワイパー支柱２から突設し立脚状態で前記開時固定手段Ｋ２の凹部Ｕと突起部Ｔとが嵌合係止することで支柱浮遊具7ａがワイパー支柱２から立脚状態で固定される構造である。
【００４４】
また、前記支柱浮遊具７ａの先端部に、ウインドガラス損傷保護材８が設けられている。前記ウインドガラス損傷保護材８は、例えば、合成ゴム、軟質ウレタンゴム、天然ゴム、軟質塩ビ、その他の弾性体が好適なものとして例示できる。詳しくは弾性体であるのみならずその他、この目的に沿ったものであればよい。例えば、摩擦係数の比較的大きな柔らかい材質のものが好適である。
【００４５】
また、ウインドガラス損傷保護材８は支柱浮遊具７ａに対して脱着自在であると、損傷保護材８が長期間使用される間に磨滅しても、新品と簡単に取り換え可能となりメンテナンス上、好適である。詳しくは本発明の支柱浮遊具７ａの先端部分のウインドガラス損傷保護材は取りはずしが容易であり使い勝手が好適である。
【００４６】
前記ウインドガラス損傷保護材８の支注浮遊具７ａ側の端部に、支柱浮遊具７ａの端部が嵌合する嵌合孔８ｂが設けられている。損傷保護材８の嵌合孔８ｂに対する支柱浮遊具７ａ先端部のはめ込み深さを適宜調整することで、支柱浮遊具７ａの長さが調整可能となり、ウインドガラス６に対する損傷保護材８の先端部の圧接状態が適度に設定可能となる。したがって、支柱浮遊具７ａの使用時（開時）において、ワイパーゴム４とウインドガラス６との間のスペースＳが最適な間隔で確保されていることになり、ワイパーゴム４の劣化防止にとって、よりいっそう好適となる。そのため、ワイパーゴム４の寿命を引き延ばすことに対しても好適である。また、支柱浮遊具７ａの嵌合孔８ｂに対する支柱浮遊具７ａの先端部がスライド式になっているので、損傷保護材８を脱着する際の作業性に優れる。
【００４７】
ウインドワイパー１を立ててゴムの劣化防止を行っている例も見られるが、防犯のための管理上特定の場所しか実施ができず、このことを勘案すると、本発明の支柱浮遊具７ａの有用性がさらに増大する。
【００４８】
本発明の支柱浮遊具７ａは、図１の乗り物やその他の目的の乗り物等において、すべて利用可能である。また、本発明の支柱浮遊具７ａは、ウインドワイパー１に組み込み済みであっても、また、使用中の古いワイパーに若干の改造を加えるだけで、本発明の支柱浮遊具７ａを自分で組み込むことがきわめて簡単にできる。すなわち、後付け可能性を有することも本発明の支柱浮遊具７ａの大きな特徴である。
【００４９】
また、支柱浮遊具７ａの係止部Ｅの近傍にある開時固定手段Ｋ２及び支柱浮遊具７ａの先端部にある閉時固定手段Ｋ１は、特殊な工具を使用しなくても指先で開閉が簡単に自在に可能であり、しかも、開時、閉時の状態が確実に維持可能である。
【００５０】
また、支柱浮遊具７ａの不使用時（閉時）、支柱浮遊具７ａにワイパー支柱２が完全に収められ、ウインドワイパー１に収納されるため防犯的にも有利である。
【００５１】
本発明の支柱浮遊具7ａの構造上、ワイパーゴム４のウインドガラス６からのスペースＳ（浮き具合）は、数ミリ単位であり、外観上の見栄えもよく防犯上損傷する可能性も極めて低いものである。
【００５２】
最後に本発明のウインドワイパーゴム劣化防止装置７の第二実施形態の詳細について再度述べる。図示しないが、本発明の支柱浮遊具７ａの不使用時（閉時）に、この支柱浮遊具７ａが、ワイパー支柱２の左右の支柱側面２ａ間の内側に内蔵状態として設けられている構造である。
【００５３】
この第二実施形態においては、支柱浮遊具７ａの不使用時（閉時）において、支柱浮遊具７ａが完全にワイパー支柱２内部に内蔵されてしまう構造であるので、外観上、防犯上、極めて好適である。
【産業上の利用可能性】
【００５４】
本発明の支柱浮遊具を用いることにより、ウインドガラスとワイパーゴムとの間に適宜寸法のスペースを設けることができるので、ウインドワイパーの先端ゴムの劣化が防止可能となり、しかも、あらゆる乗り物に使用が可能となり、産業上の利用においてきわめて有用なものである。
【符号の説明】
【００５５】
１    ウインドワイパー
２    ワイパー支柱
２ａ  支柱側面
３    ワイパーゴム取り付け具
４    ワイパーゴム
５    ワイパー支持部
６    ウインドガラス
７    ウインドワイパーゴム劣化防止装置  
７ａ  支柱浮遊具
７ｂ  支柱浮遊具側面
８    ウインドガラス損傷保護材
８ａ  損傷保護材の浮遊具側の端部
８ｂ  嵌合孔
Ｅ    係止部
Ｋ    固定手段
Ｋ１  閉時固定手段
Ｋ２  開時固定手段
Ｕ    凹部
Ｔ    突起部
Ｊ    開閉軸
Ｓ    スペース
【図１】
2013123923.tif 000003
【図２】
2013123923.tif 000004
【図３】
2013123923.tif 000005
【図４】
2013123923.tif 000006
【図５】
2013123923.tif 000007
【図６】
2013123923.tif 000008